(57)【要約】      （修正有）【課題】カメラバッグ内の暗い隅においても存在するゴミ類をブロアによる手押ポンプにより吹付けて暗所隅部の清掃を容易にするカメラ用ブロアを提供する。【解決手段】ブロア本体１０は、ノズル２０の外表面に軸方向に形成されたスライド凹溝２４を有するブロアと、当該スライド凹溝に差込自在に装着可能な差込脚３４を備える。さらに、該本体先端にＬＥＤ灯３３を備え且つスライド本体における差込脚の反対側に位置して点灯スイッチを備えた照明具３０をさらに備えて照明具付きブロアを形成する。また、照明具は、ブロアのノズルにおいて、差込脱着自在に装着可能とする。【選択図】図１
0003173974.tif 000002
【実用新案登録請求の範囲】
【請求項１】
ブロア本体とブロアノズルを備えるブロアであって、ブロアノズルの外表面に軸方向に形成されたスライド凹溝を有するブロアと、当該スライド凹溝に差込自在に装着可能な差込脚を備え、且つ該照明具本体先端にＬＥＤ灯を備え且つスライド本体における差込脚の反対側に位置して点灯スイッチを有する照明具をさらに備え、ブロアノズルにおいて差込脱着自在に装着可能とした照明具を備えた照明具付きブロア。
【考案の詳細な説明】
【技術分野】
【０００１】
本考案は、カメラ用ブロアに係り、特にカメラバッグ内のゴミ類をブロアによる手押吹付けて清掃する場合に有用なブロアに関し、カメラバッグ等内部の目の届かない暗い隅において存在し見逃され勝ちとなるゴミ・埃を容易に発見して、これらを吹き飛ばして容易に清掃することのできるカメラ用ブロアに関するものである。
【背景技術】
【０００２】
カメラ器具を収納するカメラバッグにおいて、長期間の使用された場合等、カメラバッグの内部に収容される種々のカメラ器具の出し入れにより内部に塵埃が知らず知らずのうちに蓄積されていることがある。しかし、これらの塵埃は、バック内部の暗がり隅部においては発見しにくく、機器に埃等が付着していたとしても、機器の汚れの生来に気が付かず使用する場合には、画面映像の汚点の原因になることが考えられる。
従来は、レンズ清掃用ブロアが提供されているが、ブロアノズル先端にレンズ清掃用のブラシを備え、レンズを清掃しながら塵、埃を吹き飛ばすものである。
そして、この先行の清掃用ブロアは、使用目的が本来的にレンズ専用であり、バックの内部の埃、塵を吹き払うために使用できるものはなかった。
近年、カメラ愛好家の女性人口が大幅に増加の傾向にあり、カメラ同好会の間ではバックの内部の清潔さについてもこれが求められるようになり、そのための清掃具が要望されている。
【先行技術文献】
【特許文献】
【０００３】
【特許文献１】特開２００６−１０９２６１号公報
【考案の概要】
【考案が解決しようとする課題】
【０００４】
本考案は上記の事情に鑑み、解決しようとする問題点は、カメラ器具を収納するカメラバッグにおいて、その内部ゴミ、埃が蓄積し、隅の部分に蓄積された埃等のゴミを見落とし、清掃が行き届かないことがあっても、本考案は、かかるカメラ器具を収納するカメラバッグ内部の隅部分に蓄積された埃等のゴミを、ブロアノズル近傍に設置した照明具の点灯により、該当する暗部を照明しながら発見し、ブロアを作動してバック外へと吹き飛ばして隅々まで行き届いた清掃ができるようにすることを目的とする。
【課題を解決するための手段】
【０００５】
本考案は、カメラバッグ内の清掃用手押吹付けブロアに係り、カメラバッグ内の暗い隅においても存在するゴミ類をブロアによる手押吹付けることにより清掃を容易になしうる清掃用手押吹付けブロアを提供するものであり、具体的に、ブロア本体とブロアノズルを備えるブロアであって、ブロアノズルの外表面に軸方向に形成されたスライド凹溝を有するブロアと、当該スライド凹溝に差込自在に装着可能な差込脚を備え、且つ該照明具本体先端にＬＥＤ灯を備え且つスライド本体における差込脚の反対側に位置して点灯スイッチを備えた照明具とからなり、ブロアノズルにおいて差込脱着自在に装着可能とした照明具を備えた照明具付きブロアを提供する。
【考案の効果】
【０００６】
本考案の照明具付きブロアは、カメラ器具を収納するカメラバッグ内部の隅部分に蓄積された埃等のゴミを、ブロアノズル近傍に設置した照明具の点灯により、暗部を照明しながらブロアを作動してバック外へと吹き飛ばして隅々まで行き届いた清掃ができる。また、照明具はブロアから取外しても使用できるので、使用条件に応じて照明具の装着の有無による使い分けも可能である。
【図面の簡単な説明】
【０００７】
【図１】図１は照明具を装着して組み立てたブロアの組立側面図である。
【図２】図２はブロアを構成するブロア本体、ブロアノズルを分解し、さらに照明具を分解した照明具付きブロアの分解概要図を示し、これら照明具、ブロアノズル及びブロア本体の各取り付け位置を一点線で示した図である。
【図３】図３は図１の照明具装着ブロアに係る前方矢視線Ｙ−Ｙ方向から見た正面図であり、図２との関係において（ａ）は、照明具、ブロアノズル及びブロア本体３部品を組立後、前方矢視線Ｙ１−Ｙ１方向から見た正面図であり、また（ｂ）はブロアノズル及びブロア本体２部品を組立後、前方矢視線Ｙ２−Ｙ２方向から見た正面図である。
【考案を実施するための形態】
【０００８】
カメラバッグ内の清掃に際してバッグ内隅暗所に存在するゴミ類を、照明具により点灯させてそのゴミ類の存在を確認しながら、これを吹付け用ブロアにより強制排出することができる。言い換えれば、可能な限りカメラバッグ内に存在するゴミ類の取り残しの無くするために、暗所に存在するゴミを照明して存在を確認しながら手押吹付けブロア操作を可能とし、このため取外し自在な照明具を簡単にブロアノズル部に装着して準備することにより実現するものである。
【実施例１】
【０００９】
図１は、本考案に係る組立てられた照明具付きブロアを側面図で示す概要図である。照明具を除いたブロア部分は、弾性材により製作されたブロア本体１０と樹脂製になる剛体のブロアノズル２０からなる。本考案は、このブロア部分において、そのブロアノズル２０の外表面に別途照明具３０が装着されるものである。そしてブロアノズル２０と照明具３０との装着形態については、一方のブロアノズル２０の外表面に軸方向にスライド凹溝２４が形成され、他方の照明具３０の外表面に軸方向に断面逆Ｔ字状の差込脚３４形成されているので、ブロアノズル２０のスライド凹溝２４に、照明具３０の差込脚３４を差し込んで装着すればよい。
また、弾性のブロア本体１０と剛性のブロアノズル２０からなるブロアの組立は、ブロア本体１０の嵌合孔１１にブロアノズル２０の嵌合部２１を挿入することにより組立てられる。ブロア本体１０の内部に空室１２が形成され、またブロア本体１０の外表面に軸方向の凸条１３が形成されている。一方、ブロアノズル２０の内部に通気孔２２を有し、先端は噴気口２３を備える。ブロア本体１０は弾性材の袋体をなし、凸条１５により常時膨出状態に保持される。ブロア本体１０を外周を握り締めることにより噴気口２３から圧気を放出することができ、離すと元の形状に弾性復元することができる。
【００１０】
ブロアノズル２０を組込んだブロアにおいて、ブロア本体１０部分を握り締めて圧縮し、ブロア本体１０内の空気を押し出すことにより、ブロア本体１０内の加圧空気はブロアノズル２０内の通気孔２２を通じて噴気口２３から放出させることができる。したがって、このブロア１０の吹く付け操作により、噴気口２３の近傍に存在する塵やゴミを吹く飛ばし清掃することができることになる。
【００１１】
本考案に係る照明具３０は、照明具本体３１、照明具本体３１先端に位置するＬＥＤ灯３３及び点灯消灯切り替えスイッチ３２を備える単一体である。照明具本体３１には、上記したように、その図示下方に断面逆Ｔ字状の差込脚３４が形成されているので、照明具３０の差込脚３４をブロアノズル２０のスライド凹溝２４に差し込んで装着するころができる。
なお、照明具３０の電源、作動回路については図示説明を省略する。
また、照明具３０は、一般的な電池交換可能な構造のものであってもよい。
【００１２】
実際の使用に際して、暗所において、照明しながらの圧気吹き飛ばしによる清掃に供する場合には、先ずブロアのブロアノズル２０においてスライド差込機構を介して照明具３０を装着し、次いで、スイッチ３２を作動してＬＥＤ灯３３を点灯し、この状態において、塵がゴミを発見した所要の位置にブロアを寄せると共にブロアノズル２０を近づけて弾性ブロア本体１０を繰り返し握り締め、吹付け操作をする。
逆さにしたカメラバック内に静電気により付着しいる場合でも、ノズルにより強制的に排除することができる。
【００１３】
照明の必要のない場所においては、もちろん照明具３０を消灯させたまま、圧気ポンプ的に吹付け付け操作をすることにより清掃することができる。照明具３０を取外してでも、同様に、吹付け付け操作による清掃は可能である。
【００１４】
ブロアノズル２０のスライド凹溝２４と照明具３０の差込脚３４の装着構造については、上記実施例の断面Ｔ字状の差込脚に限らず、テーパー面を有するアリ結合となる差込脚とすることも可能である。
【００１５】
本考案の用法について、上述においては、特にカメラバッグ内の清掃用手押吹付けブロアとして、カメラバッグ内の暗い隅においても存在するゴミ類をブロアによる手押吹付けることにより清掃を容易になしうる清掃用手押吹付けブロアとして説明してきた。しかし、カメラバッグ内に限らず、必然的に暗所を形成する容器、機器など、照明により何らかの必要な吹き飛ばしを必要とする清掃作業の場合にも、本考案の照明具付きブロアを使用することができる。
【符号の説明】
【００１６】
１０  ブロア本体
１１  空室
１２  嵌合孔
１３  凸条
２０  ブロアノズル
２１  嵌合部
２２  通気孔
２３  噴気口
２４  スライド凹溝
３０  照明具
３１  スイッチ本体
３２  スイッチ差込脚
３３  ＬＥＤ灯
３４  差込脚
【図１】
0003173974.tif 000003
【図２】
0003173974.tif 000004
【図３】
0003173974.tif 000005